(57)【要約】  本開示のいくつかの態様は、ショートフレームのためのトラフィック分類（ＴＣＬＡＳ）要素分類子パラメータのための技法、対応する装置、およびプログラム製品を提供する。本開示のいくつかの態様は、ワイヤレス通信のための装置を提供する。本装置は概して、１つ以上のフィールドを含む要素を備えるフレームを生成するように構成される処理システムと、１つ以上のフィールドは、少なくとも１つの媒体アクセス制御（ＭＡＣ）パケットデータユニット（ＭＰＤＵ）を識別し、少なくとも１つのＭＰＤＵ中の１つ以上のフィールドに少なくとも部分的に基づいて、要素中のパラメータのタイプを識別し、送信のために、生成されたフレームを出力するためのインターフェースとを含む。
2017504225.tif 000002
【特許請求の範囲】
【請求項１】
１つ以上のフィールドを含む要素を備えるフレームを生成するように構成される処理システムと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するためのインターフェースと
を具備する、ワイヤレス通信のための装置。
【請求項２】
前記要素は、トラフィック分類（ＴＣＬＡＳ）要素を具備する、請求項１の装置。
【請求項３】
前記少なくとも１つのＭＰＤＵ中の前記１つ以上のフィールドは、
プロトコルバージョン（ＰＶ）フィールドと、
タイプフィールドと
を具備し、
前記要素の前記１つ以上のフィールドは、フレーム分類子タイプフィールドを具備する、
請求項１の装置。
【請求項４】
前記ＰＶフィールドは、１に設定された値を有し、
前記タイプフィールドは、３に設定された値を有し、
前記フレーム分類子タイプフィールドは、９に設定された値を有する、
請求項３の装置。
【請求項５】
パラメータの前記タイプは、プロトコルバージョンＭＰＤＵ  ＭＡＣヘッダパラメータを具備する、請求項１の装置。
【請求項６】
前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、
請求項３の装置。
【請求項７】
パラメータの前記タイプは、非ダウンプロトコルバージョンＭＰＤＵ  ＭＡＣヘッダパラメータを具備する、請求項１の装置。
【請求項８】
１つ以上のフィールドを含む要素を備えるフレームを生成することと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力することと
を具備する、ワイヤレス通信のための方法。
【請求項９】
前記要素はトラフィック分類（ＴＣＬＡＳ）要素を具備する、請求項８に記載の方法。
【請求項１０】
前記少なくとも１つのＭＰＤＵ中の前記１つ以上のフィールドは、
プロトコルバージョン（ＰＶ）フィールドと、
タイプフィールドと
を具備し、
前記要素の前記１つ以上のフィールドは、フレーム分類子タイプフィールドを具備する、
請求項８に記載の方法。
【請求項１１】
前記ＰＶフィールドは、１に設定された値を有し、
前記タイプフィールドは、３に設定された値を有し、
前記フレーム分類子タイプフィールドは、９に設定された値を有する、
請求項１０に記載の方法。
【請求項１２】
パラメータの前記タイプは、プロトコルバージョンＭＰＤＵ  ＭＡＣヘッダパラメータを具備する、請求項８に記載の方法。
【請求項１３】
前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、
請求項１０に記載の方法。
【請求項１４】
パラメータの前記タイプは、非ダウンプロトコルバージョンＭＰＤＵ  ＭＡＣヘッダパラメータを具備する、請求項８に記載の方法。
【請求項１５】
１つ以上のフィールドを含む要素を備えるフレームを生成するための手段と、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するための手段と
を具備する、ワイヤレス通信のための装置。
【請求項１６】
前記要素はトラフィック分類（ＴＣＬＡＳ）要素を具備する、請求項１５の装置。
【請求項１７】
前記少なくとも１つのＭＰＤＵ中の前記１つ以上のフィールドは、
プロトコルバージョン（ＰＶ）フィールドと、
タイプフィールドと
を具備し、
前記要素の前記１つ以上のフィールドは、フレーム分類子タイプフィールドを具備する、
請求項１５の装置。
【請求項１８】
前記ＰＶフィールドは、１に設定された値を有し、
前記タイプフィールドは、３に設定された値を有し、
前記フレーム分類子タイプフィールドは、９に設定された値を有する、
請求項１７の装置。
【請求項１９】
パラメータの前記タイプは、プロトコルバージョンＭＰＤＵ  ＭＡＣヘッダパラメータを具備する、請求項１５の装置。
【請求項２０】
前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、
請求項１７の装置。
【請求項２１】
パラメータの前記タイプは、非ダウンプロトコルバージョンＭＰＤＵ  ＭＡＣヘッダパラメータを具備する、請求項１５の装置。
【請求項２２】
少なくとも１つのアンテナと、
１つ以上のフィールドを含む要素を備えるフレームを生成するように構成される処理システムと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
前記少なくとも１つのアンテナを介して、送信のために、前記生成されたフレームを送信するように構成される送信機と
を具備する、局。
【発明の詳細な説明】
【技術分野】
【０００１】
関連出願の相互参照
[0001]本出願は、その全体が参照により本明細書に組み込まれる、２０１３年１１月４日に出願された米国仮特許出願第６１／８９９，８７６号、および２０１４年１１月３日に出願された米国特許出願第１４／５３１，９０７号の利益を主張する。
【０００２】
[0002]本開示のいくつかの態様は、一般にワイヤレス通信に関し、より詳細には、トラフィック分類（ＴＣＬＡＳ：traffic classification）要素分類子パラメータに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（たとえば、米国では９０２〜９２８ＭＨｚ範囲中で動作している）サブ１ＧＨｚ周波数範囲である。この開発は、他のＩＥＥＥ８０２．１１グループよりも大きいワイヤレス範囲を有し、より低い障害損失を有する周波数範囲を利用する要望によって推進される。
【発明の概要】
【０００５】
[0005]本開示のシステム、方法、およびデバイスは、それぞれいくつかの態様を有し、それらのうちの単一の態様が単独で本開示の望ましい属性を担当するわけではない。次に、以下の特許請求の範囲によって表される本開示の範囲を限定することなしに、いくつかの特徴について手短に説明する。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００６】
[0006]本開示のいくつかの態様は、トラフィック分類（ＴＣＬＡＳ）要素分類子パラメータのための技法、対応する装置、およびプログラム製品を提供する。
【０００７】
[0007]本開示のいくつかの態様は、ワイヤレス通信のための装置を提供する。本装置は概して、１つ以上のフィールドを含む要素を備えるフレームを生成するように構成された処理システムと、ここにおいて、１つ以上のフィールドが、少なくとも１つの媒体アクセス制御（ＭＡＣ：medium access control）パケットデータユニット（ＭＰＤＵ：MAC packet data unit）を識別し、少なくとも１つのＭＰＤＵ中の１つ以上のフィールドに少なくとも部分的に基づいて、要素中のパラメータのタイプを識別する、送信のために、生成されたフレームを出力するためのインターフェースとを含む。
【０００８】
[0008]本開示のいくつかの態様は、ワイヤレス通信のための方法を提供する。本方法は概して、１つ以上のフィールドを含む要素を備えるフレームを生成することと、ここにおいて、１つ以上のフィールドが、少なくとも１つのＭＰＤＵを識別し、少なくとも１つのＭＰＤＵ中の１つ以上のフィールドに少なくとも部分的に基づいて、要素中のパラメータのタイプを識別する、送信のために、生成されたフレームを出力することとを含む。
【０００９】
[0009]本開示のいくつかの態様は、ワイヤレス通信のための装置を提供する。本装置は概して、１つ以上のフィールドを含む要素を備えるフレームを生成するための手段と、ここにおいて、１つ以上のフィールドが、少なくとも１つのＭＰＤＵを識別し、少なくとも１つのＭＰＤＵ中の１つ以上のフィールドに少なくとも部分的に基づいて、要素中のパラメータのタイプを識別する、送信のために、生成されたフレームを出力するための手段とを含む。
【００１０】
[0010]本開示のいくつかの態様は、ワイヤレス通信のためのコンピュータプログラム製品を提供する。本コンピュータプログラム製品は概して、１つ以上のフィールドを含む要素を備えるフレームを生成することと、ここにおいて、１つ以上のフィールドが、少なくとも１つのＭＰＤＵを識別し、少なくとも１つのＭＰＤＵ中の１つ以上のフィールドに少なくとも部分的に基づいて、要素中のパラメータのタイプを識別する、送信のために、生成されたフレームを出力することとを行うための命令を記憶した、コンピュータ可読媒体を含む。
【００１１】
[0011]本開示のいくつかの態様は、局を提供する。本局は概して、少なくとも１つのアンテナと、１つ以上のフィールドを含む要素を含むフレームを生成するように構成された処理システムと、ここにおいて、１つ以上のフィールドが、少なくとも１つのＭＰＤＵを識別し、少なくとも１つのＭＰＤＵ中の１つ以上のフィールドに少なくとも部分的に基づいて、要素中のパラメータのタイプを識別する、少なくとも１つのアンテナを介して、送信のために、生成されたフレームを送信するように構成された送信機とを含む。
【００１２】
[0012]上記および関係する目的を達成するために、１つ以上の態様は、以下で十分に説明し、特に特許請求の範囲で指摘する特徴を備える。以下の説明および添付の図面に、１つ以上の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００１３】
[0013]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１４】
【図１】[0014]本開示のいくつかの態様による、例示的なワイヤレス通信ネットワークの図。
【図２】[0015]本開示のいくつかの態様による、例示的なアクセスポイントおよびユーザ端末のブロック図。
【図３】[0016]本開示のいくつかの態様による、例示的なワイヤレスデバイスのブロック図。
【図４】[0017]本開示のいくつかの態様による、速度フレームイニシエータ（speed frame initiator）によるワイヤレス通信のための例示的な動作のブロック図。
【図４Ａ】[0018]本開示のいくつかの態様による、図４に示された動作を実行することが可能な例示的な手段を示す図。
【図５】[0019]本開示のいくつかの態様による、例示的なショートフレームフォーマットを示す図。
【図６】[0020]本開示のいくつかの態様による、フレーム制御フィールド５０２のサブフィールドを示す図。
【図７】[0021]本開示のいくつかの態様による、例示的なトラフィック分類（ＴＣＬＡＳ）要素分類子パラメータを含む表。
【００１５】
[0022]理解を容易にするために、各図に共通である同じ要素を指定するために、可能な場合、同じ参照符号が使用されている。一実施形態において開示する要素が、特定の具陳なしに他の実施形態に対して有益に利用され得ることが企図される。
【発明を実施するための形態】
【００１６】
[0023]本開示のいくつかの態様は、ショートフレームのためのトラフィック分類（ＴＣＬＡＳ）要素分類子パラメータのための技法、対応する装置、およびプログラム製品を提供する。たとえば、ＴＣＬＡＳ要素は、フレーム中で搬送され得、（たとえば、タイプ３、プロトコルバージョン１の場合）たとえば、フレーム中の分類および識別されるべき媒体アクセス制御（ＭＡＣ）プロトコルデータユニット（ＭＰＤＵ：MAC protocol data unit）のタイプフィールドに基づいて、ＴＣＬＡＳ要素中の分類子パラメータタイプを識別するフレーム分類子タイプフィールドを有し得る。
【００１７】
[0024]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載された本開示の様々な態様に加えてまたはそれら以外に、他の構造、機能、または構造および機能を使用して実施されるそのような装置または方法をカバーするものとする。本明細書で開示する本開示のいずれの態様も、請求項の１つ以上の要素によって実施され得ることを理解されたい。
【００１８】
[0025]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１９】
[0026]本明細書では、ワイヤレス通信の分野における一般に認識されている使用法に一致する、以下に記載する頭文字を使用することがある。本明細書では、他の頭文字を使用することもあり、以下のリストにおいて定義されていない場合は、本明細書で最初に出現する場所で定義する。
【００２０】
ＡＣＫ．．．．．．．．．．．確認応答
Ａ−ＭＰＤＵ．．．．．．アグリゲート媒体アクセス制御プロトコルデータユニット（Aggregated Media Access Control Protocol Data Unit）
ＡＰ．．．．．．．．．．．．．アクセスポイント
ＢＡ．．．．．．．．．．．．．ブロックＡＣＫ
ＢＡＲ．．．．．．．．．．．ブロックＡＣＫ要求
ＣＲＣ．．．．．．．．．．．巡回冗長検査（cyclic redundancy check）
ＤＩＦＳ．．．．．．．．．分散フレーム間スペース
ＥＯＦ．．．．．．．．．．．フレームの終了
ＥＩＦＳ．．．．．．．．．拡張フレーム間スペース
ＦＣＳ．．．．．．．．．．．フレーム検査シーケンス（Frame Check Sequence）
ＩＤ．．．．．．．．．．．．．識別子
ＩＥＥＥ．．．．．．．．．米国電気電子技術者協会
ＬＴＦ．．．．．．．．．．．ロングトレーニングフィールド
ＭＡＣ．．．．．．．．．．．メディアアクセス制御
ＭＳＢ．．．．．．．．．．．最上位ビット
ＭＩＭＯ．．．．．．．．．多入力多出力
ＭＰＤＵ．．．．．．．．．ＭＡＣプロトコルデータユニット
ＭＵ．．．．．．．．．．．．．マルチユーザ
ＭＵ−ＭＩＭＯ．．．マルチユーザ多入力多出力
ＮＤＰ．．．．．．．．．．．ヌルデータパケット
ＯＦＤＭ．．．．．．．．．直交周波数分割変調
ＯＦＤＭＡ．．．．．．．直交周波数分割多元接続
ＰＨＹ．．．．．．．．．．．物理レイヤ
ＰＬＣＰ．．．．．．．．．物理レイヤコンバージェンスプロトコル
ＰＰＤＵ．．．．．．．．．ＰＬＣＰプロトコルデータユニット
ＰＳＤＵ．．．．．．．．．ＰＬＣＰサービスデータユニット
ＱｏＳ．．．．．．．．．．．サービス品質
ＲＤＧ．．．．．．．．．．．逆方向グラント
ＳＤＭＡ．．．．．．．．．空間分割多元接続
ＳＩＦＳ．．．．．．．．．ショートフレーム間スペース（Short Interframe Space）
ＳＩＧ．．．．．．．．．．．信号（たとえば、サブ１ＧＨｚ）
ＳＴＡ．．．．．．．．．．．局
ＳＴＢＣ．．．．．．．．．時空間ブロックコーディング
ＳＴＦ．．．．．．．．．．．ショートトレーニングフィールド
ＳＵ．．．．．．．．．．．．．シングルユーザ
ＴＣＰ．．．．．．．．．．．伝送制御プロトコル
ＶＨＴ．．．．．．．．．．．超高スループット
ＷＬＡＮ．．．．．．．．．ワイヤレスローカルエリアネットワーク
例示的なワイヤレス通信システム
[0027]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２１】
[0028]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２２】
[0029]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２３】
[0030]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つ以上の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２４】
[0031]図１に、アクセスポイントとユーザ端末とをもつ多元接続多入力多出力（ＭＩＭＯ）システム１００を示す。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定また移動であり得、移動局、ワイヤレスデバイス、または何らかの他の用語で呼ばれることもある。アクセスポイント１１０は、ダウンリンクおよびアップリンク上で所与の瞬間において１つ以上のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００２５】
[0032]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２６】
[0033]システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが何らかの手段によってコード、周波数または時間において多重化されない場合、Ｎap≧Ｋ≧１が成り立つことが望まれる。データシンボルストリームがＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は１つ以上のアンテナを装備し得る（すなわち、Ｎut≧１）。Ｋ個の選択されたユーザ端末は同じまたは異なる数のアンテナを有することができる。
【００２７】
[0034]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００２８】
[0035]図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上の同時送信のために選択され、Ｎupは、Ｎdnに等しいことも等しくないこともあり、ＮupおよびＮdnは、静的な値であり得るか、またはスケジュールインターバルごとに変化することがある。ビームステアリングまたは何らかの他の空間処理技法がアクセスポイントおよびユーザ端末において使用され得る。
【００２９】
[0036]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。トランシーバの各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。トランシーバのＮut,m個の送信機ユニット２５４は、Ｎut,m個のアンテナ２５２からアクセスポイントへの送信のためのＮut,m個のアップリンク信号を与える。
【００３０】
[0037]Ｎup個のユーザ端末がアップリンク上の同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３１】
[0038]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をトランシーバのそれぞれの受信機ユニット（ＲＣＶＲ）２２２に与える。トランシーバの各受信機ユニット２２２は、トランシーバの送信機ユニット２５４によって実行された処理を補足する処理を実行し、受信シンボルストリームを与える。ＲＸ空間プロセッサ２４０は、トランシーバのＮap個の受信機ユニット２２２からのＮap個の受信シンボルストリームに対して受信機空間処理を実行し、Ｎup個の復元アップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３２】
[0039]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。トランシーバの各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるトランシーバのＮap個の送信機ユニット２２２。
【００３３】
[0040]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、トランシーバのＮut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００３４】
[0041]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３５】
[0042]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３６】
[0043]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明する方法を実装するために実行可能であり得る。
【００３７】
[0044]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３８】
[0045]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３９】
[0046]ワイヤレスデバイス３０２の様々な構成要素は、データバスに加えて、電力バスと、制御信号バスと、ステータス信号バスとを含み得る、バスシステム３２２によって互いに結合され得る。
例示的なＴＣＬＡＳ要素分類子パラメータ識別
[0047]トラフィック分類（ＴＣＬＡＳ）要素は、媒体アクセス制御（ＭＡＣ）プロトコルデータユニット（ＭＰＤＵ）を識別するために使用され得るパラメータのセットを含む要素を指定し得る。ＴＣＬＡＳ要素は、特定のトラフィックストリームに属する（たとえば、局（ＳＴＡ）における上位レイヤからの、またはアクセスポイント（ＡＰ）における配信システム（ＤＳ）からの）着信ＭＡＣサービスデータユニット（ＭＳＤＵ：MAC service data unit）を識別するために使用され得る。ＴＣＬＡＳ要素は、たとえば、フレキシブルマルチキャストサービス（ＦＭＳ）、有向マルチキャストサービス（ＤＭＳ：directed multicast service）、およびトラフィックフィルタ処理サービス（ＴＦＳ：traffic filtering service）によって、トラフィックストリームに属さないトラフィックにも使用され得る。いくつかの態様によれば、ＴＣＬＡＳ要素は、ダウンリンクまたは双方向リンクのみのためにトラフィックストリーム追加（ＡＤＤＴＳ：add traffic stream）要求フレームおよびＡＤＤＴＳ応答フレーム中で与えられ得る。
【００４０】
[0048]分類子タイプは、ＴＣＬＡＳ要素中の分類子パラメータのタイプを指定する。いくつかの態様によれば、分類子パラメータは、分類されるべきＭＰＤＵ中に存在するタイプフィールドに基づいて定義され得る。いくつかの態様によれば、分類子パラメータはまた、分類されるべきＭＰＤＵのプロトコルバージョン（ＰＶ）フィールドおよび／または配信システム（ＤＳ）発（From Distribution System）フィールドに基づいて識別され得る。
【００４１】
[0049]図４に、たとえば、アクセスポイントまたは他のタイプの局によって実行され得る例示的な動作４００を示す。動作４００は、４０２において、１つ以上のフィールド（たとえば、フレーム分類子タイプフィールド）を含む要素（たとえば、ＴＣＬＡＳ要素）を用いてフレームを生成することによって開始し、ここにおいて、１つ以上のフィールドは、少なくとも１つの媒体アクセス制御（ＭＡＣ）パケットデータユニット（ＭＰＤＵ）を識別し、少なくとも１つのＭＰＤＵ中の１つ以上のフィールド（たとえば、ＰＶフィールド、タイプフィールド、および／またはＤＳ発フィールド）に少なくとも部分的に基づいて、要素中のパラメータのタイプ（たとえば、プロトコルバージョンＭＰＤＵ  ＭＡＣヘッダパラメータまたは非ダウンプロトコルバージョンＭＰＤＵ  ＭＡＣヘッダパラメータ）を識別する。４０４において、フレームは送信のために出力される（たとえば、送信されるか、または送信のためにＲＦフロントエンドに出力される）。
【００４２】
[0050]いくつかのシステム（たとえば、ＩＥＥＥ８０２．１１ａｈシステム）では、ショートフレームは、１に設定されたフレーム制御（ＦＣ）フィールド中のプロトコルバージョン（ＰＶ）フィールドを有するＭＰＤＵ）であり得る。
【００４３】
[0051]図５に、本開示のいくつかの態様による、例示的なショートフレームフォーマット５００を示す。図５に示されているように、ショートフレームフォーマット５００は、２バイトのフレーム制御（ＦＣ）フィールド５０２と、２バイトまたは６バイトの第１のアドレスフィールド（Ａ１）５０４と、２バイトまたは６バイトの第２のアドレスフィールド（Ａ２）５０６と、０バイト（たとえば、含まれない）または２バイトのシーケンス制御（ＳＣ：Sequence Control）フィールド５０８と、０バイトまたは６バイトの第３のアドレス（Ａ３）フィールド５１０と、０バイトまたは６バイトの第４のアドレスフィールド（Ａ４）５１２と、可変長のフレーム本体フィールド５１４と、４バイトのフレーム検査シーケンス（ＦＣＳ）フィールド５１６とを含み得る。図５に示されているように、ショート制御フレームについて、ショートフレームフォーマット５００中に、Ａ１フィールド５０４およびＡ２フィールド５０６は存在することがあるが、ＳＣフィールド５０８、Ａ３フィールド４１０、およびＡ４フィールド５１２は存在しないことがある。
【００４４】
[0052]図６に、本開示のいくつかの態様による、図５の１６ビット（２バイト）のＦＣフィールド５０２のサブフィールドを示す。図６に示されているように、ＦＣフィールド５０２は、ショート制御フレームについて１に設定された２バイトのプロトコルバージョン（ＰＶ）サブフィールド６０２を含み得る。ＦＣフィールド６０２は、制御タイプを示す３ビットのタイプサブフィールド６０４と、３ビットのＰＴＩＤ／サブタイプサブフィールド６０６と、３ビットの帯域幅指示サブフィールド６０８と、１ビットの動的指示サブフィールド６１０と、１ビットのネクストＴＷＴ情報存在サブフィールド６１２と、１ビットのモアデータサブフィールド６１４と、１ビットのフロー制御サブフィールド６１６と、予約済みビット６１８とをさらに含み得る。図６には示されていないが、ＦＣフィールド５０２はＤＳ発サブフィールドをも含み得る。
【００４５】
[0053]いくつかの態様によれば、タイプサブフィールド６０４は、ショートデータフレームについてタイプ３に設定され得る。
【００４６】
[0054]上述のように、分類子パラメータは、分類されるべきＭＰＤＵ（たとえば、ショートフレーム５００）中に存在するタイプフィールド（たとえば、タイプサブフィールド６０４）に基づいて定義され得る。図７は、本開示のいくつかの態様による、例示的なＴＣＬＡＳ要素分類子パラメータを含む表である。たとえば、図７中の表に示されているように、分類子タイプ０について、分類子パラメータはイーサネット（登録商標）パラメータであり得、分類子タイプ１について、分類子パラメータはＴＣＰ／ＵＤＰ  ＩＰパラメータであり得、分類子タイプ２について、分類子パラメータはＩＥＥＥ８０２．１Ｑパラメータであり得、分類子タイプ３について、分類子パラメータはフィルタオフセットパラメータであり得、分類子タイプ４について、分類子パラメータはＩＰおよび上位レイヤパラメータであり得、分類子タイプ５について、分類子パラメータはＩＥＥＥ８０２．１Ｄ／Ｑパラメータであり得、分類子タイプ６について、分類子パラメータはＩＥＥＥ８０２．１１  ＰＶ０  ＭＡＣヘッダパラメータであり得（たとえば、ＦＣフィールドのＢ１Ｂ０＝００）、分類子タイプ７について、分類子パラメータはＩＥＥＥ８０２．１１  ＰＶ１  ＭＡＣヘッダパラメータであり得、分類子タイプ８について、分類子パラメータはＩＥＥＥ８０２．１１非ダウンＰＶ１  ＭＡＣヘッダパラメータであり得、分類子タイプ９について、分類子パラメータは、ＩＥＥＥ８０２．１１ダウンＰＶ１  ＭＰＤＵフルアドレスＭＡＣヘッダパラメータであり得、分類子タイプ１０〜２５５について、分類子パラメータは予約され得る。
【００４７】
[0055]いくつかの態様によれば、８の分類子タイプ値は、ＭＡＣヘッダが、１に設定されたＦＣフィールド（たとえば、ＦＣフィールド５０２）のＰＶフィールド（たとえば、ＰＶサブフィールド６０２）の値を含み、ＦＣフィールドのＤＳ発サブフィールドが０の値に設定された、フレームのみに適用され得る。
【００４８】
[0056]いくつかの態様によれば、９の分類子タイプ値は、ＭＡＣヘッダが、１に設定されたＦＣフィールド（たとえば、ＦＣフィールド５０２）のＰＶフィールド（たとえば、ＰＶサブフィールド６０２）の値を含み、ＦＣフィールドのタイプサブフィールド（たとえば、タイプフィールド６０４）が３の値に設定された、フレームのみに適用され得る。
【００４９】
[0057]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つ以上の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。たとえば、図４に示された動作４００は、図４Ａに示された手段４００Ａに対応する。手段４００Ａは、媒体アクセス制御（ＭＡＣ）パケットデータユニット（ＭＰＤＵ）を識別するためのフィールドのセットと、フィールドのうちの１つ中の分類されるべきおよび識別されるＭＰＤＵ中に存在するタイプフィールドに少なくとも部分的に基づいて、トラフィック分類（ＴＣＬＡＳ）要素中の分類子パラメータのタイプを識別するフレーム分類子タイプフィールドとを含む、ＴＣＬＡＳ要素を備えるフレームを生成するための手段と、送信のために、生成されたフレームを出力するための手段とを含み得る。
【００５０】
[0058]たとえば、送信するための手段は、図２に示されたアクセスポイント１１０の送信機（たとえば、トランシーバの送信機ユニット２２２）および／または（１つ以上の）アンテナ２２４、あるいは図３に示された送信機３１０および／または（１つ以上の）アンテナ３１６を備え得る。受信するための手段は、図２に示されたアクセスポイント１１０の受信機（たとえば、トランシーバの受信機ユニット２２２）および／または（１つ以上の）アンテナ２２４、あるいは図３に示された受信機３１２および／または（１つ以上の）アンテナ３１６を備え得る。
【００５１】
[0059]ある場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、送信のためにＲＦフロントエンドからフレームを取得（または受信）し得る。
【００５２】
[0060]処理するための手段、生成するための手段、決定するための手段、出力するための手段および／または指示するための手段は、図２に示されたアクセスポイント１１０のＲＸデータプロセッサ２４２、ＴＸデータプロセッサ２１０、および／またはコントローラ２３０、あるいは図３に描かれたプロセッサ３０４および／またはＤＳＰ３２０など、１つ以上のプロセッサを含み得る、処理システムを備え得る。
【００５３】
[0061]いくつかの態様によれば、そのような手段は、（たとえば、ハードウェアでまたはソフトウェア命令を実行することによって）様々なアルゴリズムを実装することによって、対応する機能を実行するように構成された処理システムによって実装され得る。たとえば、媒体アクセス制御（ＭＡＣ）パケットデータユニット（ＭＰＤＵ）を識別するためのフィールドのセットと、フィールドのうちの１つ中の分類されるべきおよび識別されるＭＰＤＵ中に存在するタイプフィールドに少なくとも部分的に基づいて、トラフィック分類（ＴＣＬＡＳ）要素中の分類子パラメータのタイプを識別するフレーム分類子タイプフィールドとを含む、ＴＣＬＡＳ要素を備えるフレームを生成するためのアルゴリズムと、送信のために、生成されたフレームを出力するためのアルゴリズムと。
【００５４】
[0062]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００５５】
[0063]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の配列）を包含するものとする。
【００５６】
[0064]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つ以上のマイクロプロセッサ、あるいは任意の他のそのような構成として実装され得る。
【００５７】
[0065]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体化であり得る。一例として、記憶媒体は、媒体アクセス制御（ＭＡＣ）パケットデータユニット（ＭＰＤＵ）を識別するためのフィールドのセットと、フィールドのうちの１つ中の分類されるべきおよび識別されるＭＰＤＵ中に存在するタイプフィールドに少なくとも部分的に基づいて、トラフィック分類（ＴＣＬＡＳ）要素中の分類子パラメータのタイプを識別するフレーム分類子タイプフィールドとを含む、ＴＣＬＡＳ要素を備えるフレームを生成するための命令と、送信のために、生成されたフレームを出力するための命令とを記憶していることがある。
【００５８】
[0066]本明細書で開示した方法は、説明した方法を達成するための１つ以上のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００５９】
[0067]説明した機能は、ハードウェア、ソフトウェア、ファームウェア、またはそれらの任意の組合せで実装され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【００６０】
[0068]プロセッサは、機械可読媒体に記憶されたソフトウェアの実行を含む、バスおよび一般的な処理を管理することを担当し得る。プロセッサは、１つ以上の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００６１】
[0069]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００６２】
[0070]処理システムは、すべて外部バスアーキテクチャを介して他のサポート回路と互いにリンクされる、プロセッサ機能を提供する１つ以上のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つ以上のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００６３】
[0071]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つ以上のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００６４】
[0072]ソフトウェアで実装される場合、機能は、１つ以上の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００６５】
[0073]したがって、いくつかの態様は、本明細書で提示した動作を実行するためのコンピュータプログラム製品を備え得る。たとえば、そのようなコンピュータプログラム製品は、本明細書で説明した動作を実行するために１つ以上のプロセッサによって実行可能である命令をその上に記憶した（および／または符号化した）コンピュータ可読媒体を備え得る。いくつかの態様では、コンピュータプログラム製品はパッケージング材料を含み得る。
【００６６】
[0074]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００６７】
[0075]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【図１】
2017504225.tif 000003
【図２】
2017504225.tif 000004
【図３】
2017504225.tif 000005
【図４】
2017504225.tif 000006
【図４Ａ】
2017504225.tif 000007
【図５】
2017504225.tif 000008
【図６】
2017504225.tif 000009
【図７】
2017504225.tif 000010
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
１つ以上のフィールドを含む要素を備えるフレームを生成するように構成される処理システムと、前記１つ以上のフィールドは、トラフィックストリームの少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するためのインターフェースと、
を具備し、
前記少なくとも１つのＭＰＤＵ中の前記１つ以上のフィールドは、
プロトコルバージョン（ＰＶ）フィールドと、
タイプフィールドと、を具備し、
前記要素の前記１つ以上のフィールドは、フレーム分類子タイプフィールドを具備し、且つ、
前記ＰＶフィールドが１に設定された値を有し、
前記タイプフィールドが３に設定された値を有し、
前記フレーム分類子タイプフィールドが９に設定された値を有する、か、
あるいは、
前記少なくとも１つのＭＰＤＵ中の前記１つ以上のフィールドが０に設定された値を有する配信システム（ＤＳ）発フィールドを具備し、
前記ＰＶフィールドが１に設定された値を有し、
前記フレーム分類子タイプフィールドが８に設定された値を有する、
ワイヤレス通信のための装置。
【請求項２】
前記要素は、トラフィック分類（ＴＣＬＡＳ）要素を具備する、請求項１の装置。
【請求項３】
パラメータの前記タイプは、プロトコルバージョンＭＰＤＵ  ＭＡＣヘッダパラメータを具備する、請求項１の装置。
【請求項４】
パラメータの前記タイプは、非ダウンプロトコルバージョンＭＰＤＵ  ＭＡＣヘッダパラメータを具備する、請求項１の装置。
【請求項５】
１つ以上のフィールドを含む要素を備えるフレームを生成することと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力することと、
を具備し、
前記少なくとも１つのＭＰＤＵ中の前記１つ以上のフィールドは、
プロトコルバージョン（ＰＶ）フィールドと、
タイプフィールドと、を具備し、
前記要素の前記１つ以上のフィールドは、フレーム分類子タイプフィールドを具備し、且つ、
前記ＰＶフィールドが１に設定された値を有し、
前記タイプフィールドが３に設定された値を有し、
前記フレーム分類子タイプフィールドが９に設定された値を有する、か、
あるいは、
前記少なくとも１つのＭＰＤＵ中の前記１つ以上のフィールドが０に設定された値を有する配信システム（ＤＳ）発フィールドを具備し、
前記ＰＶフィールドが１に設定された値を有し、
前記フレーム分類子タイプフィールドが８に設定された値を有する、
ワイヤレス通信のための方法。
【請求項６】
前記要素はトラフィック分類（ＴＣＬＡＳ）要素を具備する、請求項５に記載の方法。
【請求項７】
パラメータの前記タイプは、プロトコルバージョンＭＰＤＵ  ＭＡＣヘッダパラメータを具備する、請求項５に記載の方法。
【請求項８】
パラメータの前記タイプは、非ダウンプロトコルバージョンＭＰＤＵ  ＭＡＣヘッダパラメータを具備する、請求項５に記載の方法。
【請求項９】
１つ以上のフィールドを含む要素を備えるフレームを生成するための手段と、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するための手段と、
を具備し、
前記少なくとも１つのＭＰＤＵ中の前記１つ以上のフィールドは、
プロトコルバージョン（ＰＶ）フィールドと、
タイプフィールドと、を具備し、
前記要素の前記１つ以上のフィールドは、フレーム分類子タイプフィールドを具備し、且つ、
前記ＰＶフィールドが１に設定された値を有し、
前記タイプフィールドが３に設定された値を有し、
前記フレーム分類子タイプフィールドが９に設定された値を有する、か、
あるいは、
前記少なくとも１つのＭＰＤＵ中の前記１つ以上のフィールドが０に設定された値を有する配信システム（ＤＳ）発フィールドを具備し、
前記ＰＶフィールドが１に設定された値を有し、
前記フレーム分類子タイプフィールドが８に設定された値を有する、
ワイヤレス通信のための装置。
【請求項１０】
前記要素はトラフィック分類（ＴＣＬＡＳ）要素を具備する、請求項９の装置。
【請求項１１】
パラメータの前記タイプは、プロトコルバージョンＭＰＤＵ  ＭＡＣヘッダパラメータを具備する、請求項９の装置。
【請求項１２】
パラメータの前記タイプは、非ダウンプロトコルバージョンＭＰＤＵ  ＭＡＣヘッダパラメータを具備する、請求項９の装置。
【請求項１３】
少なくとも１つのアンテナと、
１つ以上のフィールドを含む要素を備えるフレームを生成するように構成される処理システムと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
前記少なくとも１つのアンテナを介して、送信のために、前記生成されたフレームを送信するように構成される送信機と、
を具備し、
前記少なくとも１つのＭＰＤＵ中の前記１つ以上のフィールドは、
プロトコルバージョン（ＰＶ）フィールドと、
タイプフィールドと、を具備し、
前記要素の前記１つ以上のフィールドは、フレーム分類子タイプフィールドを具備し、且つ、
前記ＰＶフィールドが１に設定された値を有し、
前記タイプフィールドが３に設定された値を有し、
前記フレーム分類子タイプフィールドが９に設定された値を有する、か、
あるいは、
前記少なくとも１つのＭＰＤＵ中の前記１つ以上のフィールドが０に設定された値を有する配信システム（ＤＳ）発フィールドを具備し、
前記ＰＶフィールドが１に設定された値を有し、
前記フレーム分類子タイプフィールドが８に設定された値を有する、
局。
【手続補正２】
【補正対象書類名】明細書
【補正対象項目名】００６７
【補正方法】変更
【補正の内容】
【００６７】
[0075]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に本願の出願当初の特許請求の範囲に記載された発明を付記する。
[Ｃ１]  １つ以上のフィールドを含む要素を備えるフレームを生成するように構成される処理システムと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するためのインターフェースとを具備する、ワイヤレス通信のための装置。
[Ｃ２]  前記要素は、トラフィック分類（ＴＣＬＡＳ）要素を具備する、Ｃ１の装置。
[Ｃ３]  前記少なくとも１つのＭＰＤＵ中の前記１つ以上のフィールドは、
プロトコルバージョン（ＰＶ）フィールドと、
タイプフィールドとを具備し、
前記要素の前記１つ以上のフィールドは、フレーム分類子タイプフィールドを具備する、Ｃ１の装置。
[Ｃ４]  前記ＰＶフィールドは、１に設定された値を有し、
前記タイプフィールドは、３に設定された値を有し、
前記フレーム分類子タイプフィールドは、９に設定された値を有する、Ｃ３の装置。
[Ｃ５]  パラメータの前記タイプは、プロトコルバージョンＭＰＤＵ  ＭＡＣヘッダパラメータを具備する、Ｃ１の装置。
[Ｃ６]  前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、Ｃ３の装置。
[Ｃ７]  パラメータの前記タイプは、非ダウンプロトコルバージョンＭＰＤＵ  ＭＡＣヘッダパラメータを具備する、Ｃ１の装置。
[Ｃ８]  １つ以上のフィールドを含む要素を備えるフレームを生成することと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力することとを具備する、ワイヤレス通信のための方法。
[Ｃ９]  前記要素はトラフィック分類（ＴＣＬＡＳ）要素を具備する、Ｃ８に記載の方法。
[Ｃ１０]  前記少なくとも１つのＭＰＤＵ中の前記１つ以上のフィールドは、
プロトコルバージョン（ＰＶ）フィールドと、
タイプフィールドとを具備し、
前記要素の前記１つ以上のフィールドは、フレーム分類子タイプフィールドを具備する、Ｃ８に記載の方法。
[Ｃ１１]  前記ＰＶフィールドは、１に設定された値を有し、
前記タイプフィールドは、３に設定された値を有し、
前記フレーム分類子タイプフィールドは、９に設定された値を有する、Ｃ１０に記載の方法。
[Ｃ１２]  パラメータの前記タイプは、プロトコルバージョンＭＰＤＵ  ＭＡＣヘッダパラメータを具備する、Ｃ８に記載の方法。
[Ｃ１３]  前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、Ｃ１０に記載の方法。
[Ｃ１４]  パラメータの前記タイプは、非ダウンプロトコルバージョンＭＰＤＵ  ＭＡＣヘッダパラメータを具備する、Ｃ８に記載の方法。
[Ｃ１５]  １つ以上のフィールドを含む要素を備えるフレームを生成するための手段と、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
送信のために、前記生成されたフレームを出力するための手段とを具備する、ワイヤレス通信のための装置。
[Ｃ１６]  前記要素はトラフィック分類（ＴＣＬＡＳ）要素を具備する、Ｃ１５の装置。
[Ｃ１７]  前記少なくとも１つのＭＰＤＵ中の前記１つ以上のフィールドは、
プロトコルバージョン（ＰＶ）フィールドと、
タイプフィールドとを具備し、
前記要素の前記１つ以上のフィールドは、フレーム分類子タイプフィールドを具備する、Ｃ１５の装置。
[Ｃ１８]  前記ＰＶフィールドは、１に設定された値を有し、
前記タイプフィールドは、３に設定された値を有し、
前記フレーム分類子タイプフィールドは、９に設定された値を有する、Ｃ１７の装置。
[Ｃ１９]  パラメータの前記タイプは、プロトコルバージョンＭＰＤＵ  ＭＡＣヘッダパラメータを具備する、Ｃ１５の装置。
[Ｃ２０]  前記少なくとも１つのＭＰＤＵ中の前記１つ以上のフィールドは、０に設定された値を有する配信システム（ＤＳ）発フィールドを具備し、
前記ＰＶフィールドは、１に設定された値を有し、
前記フレーム分類子タイプフィールドは、８に設定された値を有する、Ｃ１７の装置。
[Ｃ２１]  パラメータの前記タイプは、非ダウンプロトコルバージョンＭＰＤＵ  ＭＡＣヘッダパラメータを具備する、Ｃ１５の装置。
[Ｃ２２]  少なくとも１つのアンテナと、
１つ以上のフィールドを含む要素を備えるフレームを生成するように構成される処理システムと、前記１つ以上のフィールドは、少なくとも１つの媒体アクセス制御（ＭＡＣ）パケットデータユニット（ＭＰＤＵ）を識別し、前記少なくとも１つのＭＰＤＵ中の１つ以上のフィールドに少なくとも部分的に基づいて、前記要素中のパラメータのタイプを識別し、
前記少なくとも１つのアンテナを介して、送信のために、前記生成されたフレームを送信するように構成される送信機とを具備する、局。
【国際調査報告】
2017504225.tif 000011
2017504225.tif 000012
2017504225.tif 000013